(57)【要約】【課題】  茶葉やコーヒー粉末の移動を制限し、使用者が飲料を安心して飲むことができるコップを提供する。【解決手段】  内部に隔離素子１１が設けられ、隔離素子１１はコップの内部に固定され、枠部１１１と網状の止め部１１２とを有する。コップの内面には二つの縦方向レール１６が対向に設けられ、各縦方向レール１６は二つの突出条１６１で構成され、突出条１６１はコップの内面と一体に成形され、二つの突出条１６１の間には隙間１６２が形成されている。枠部１１１は二つの縦方向段１１５を有し、縦方向段１１５がそれぞれ隙間１６２に挿入されて定位される。コップの内面に係り部１７が設けられ、係り部１７は止め部１７１と止めブロック１７２から構成されている。隔離素子１１は一つの横方向段１１４を有し、止め部１７１と止めブロック１７２との間に横方向段１１４が定位される。【選択図】    図２
2006026393.tif 000002
【特許請求の範囲】
【請求項１】
内部にコップを二つの隔離空間に分ける隔離素子が設けられ、前記隔離素子はコップの内部に固定され、形状を維持するための枠部と、前記枠部に連結して原料の通過を阻止して液体が通過自在である網状を呈する止め部とを有することを特徴とするコップ。
コップ。
【請求項２】
前記コップの内面には、隔離素子を定位するための二つの縦方向レールが対向に設けられ、各縦方向レールは互いに平行する二つの突出条で構成され、前記突出条はコップの内面と一体に成形され、二つの突出条の間には隙間が形成され、前記隔離素子の枠部は二つの縦方向段を有し、前記縦方向段がそれぞれ前記隙間に挿入されて定位され、コップの内面において上端から適当な距離に離れた箇所には係り部が設けられ、前記係り部はコップの内面から上へ延びた止め部と止めブロックから構成され、前記隔離素子は一つの横方向段を有し、止め部と止めブロックとの間に前記横方向段が定位され、前記枠部の縦方向段と横方向段との間には枠部を容易に湾折するための湾折線が一つ設けられていることを特徴とする請求項１に記載のコップ。
【請求項３】
コップの内面の底面に近接する箇所には、一つの突起が設けられ、前記隔離素子は一つの枠部と、網状を呈する一つの止め部とから構成され、前記枠部の底端は環状のラグが延び、前記ラグが突起に係止されることを特徴とする請求項１に記載のコップ。
【請求項４】
コップの内面の適当な箇所には、縦方向に互いに対向する凸部が二つ設けられ、二つの凸部の間には一つの溝が形成され、隔離素子は板状を呈し、環状を呈する枠部と、前記枠部の中に設けられている網状の止め部とから構成され、コップ本体の前記溝に隔離素子の枠部が係合されると、前記隔離素子が定位されることを特徴とする請求項１に記載のコップ。
【発明の詳細な説明】
【技術分野】
【０００１】
本発明は、コップに係り、特に、茶葉や研磨されたコーヒー粉末を内部に設置でき、コップの縦方向の隔離素子によって、茶葉や研磨されたコーヒー粉末の移動を制限し、使用者が入れた飲料を安心して飲むことができるコップに関するものである。
【背景技術】
【０００２】
図７に示すのは、従来のコップ６であり、コップ６には濾過装置または隔離装置が設けられていないため、茶葉６１を入れてお湯を注いで飲む時には、茶葉６１が水に散布されるので、茶葉が口に入ることがよくある。
【０００３】
図８に示すのは、隔離装置７１が設置されたコップ７であり、コップ７が上半層７２と下半層７３とに分けられ、網状の仕切板７５によって茶葉７４が下半層７３に隔離され、仕切板７５にはコップ開口に延びた制御棒７６が設けられている。
【０００４】
また、コップ８の隔離装置８１がブラケット状を呈し、図９に示すように、隔離装置８１がコップ開口８２に設置され、茶葉８３が網状を呈するブラケット８４の内部に設置される。
上記の隔離装置が設置されたコップの構造は、ガラスコップやセラミックスコップや金属コップに応用され、樹脂コップと紙コップには簡単に適用できない。
【０００５】
また、茶葉を仕切板７５の下に設置する時には、まず、仕切板７５を取り出して茶葉をコップの底面に設置して、仕切板７５を元の位置に取付け、制御棒７６がコップ開口から外側へ延び出すので、使用者の鼻がよく制御棒７６に当たるため、お茶を別に用意したコップに注いで飲むことが必要であり、極めて不便である。なお、茶葉がブラケット８４の内部に充填された場合には、ブラケット８４を取外さないと、お茶を飲むことができないので、極めて不便である。
【発明の開示】
【発明が解決しようとする課題】
【０００６】
本発明の主な目的は、茶葉や研磨されたコーヒー粉末を内部に設置でき、コップの縦方向の隔離素子によって、茶葉や研磨されたコーヒー粉末の移動を制限し、使用者が入れた飲料を安心して飲むことができるコップを提供する。
【課題を解決するための手段】
【０００７】
上記目的を達成するためになされた本発明は、内部にコップを二つの隔離空間に分ける隔離素子が設けてあり、前記隔離素子はコップの内部に固定され、形状を維持するための枠部と、前記枠部に連結して原料の通過を阻止して液体が通過自在である網状を呈する止め部とを有することを特徴とするコップであることを要旨としている。
【０００８】
本発明では、前記コップの内面には隔離素子を定位するための二つの縦方向レールが対向に設けてあり、各縦方向レールは互いに平行する二つの突出条で構成され、前記突出条はコップの内面と一体に成形され、二つの突出条の間には隙間が形成され、前記隔離素子の枠部は二つの縦方向段を有し、前記縦方向段がそれぞれ前記隙間に挿入されて定位され、コップの内面において上端から適当な距離に離れた箇所には係り部が設けてあり、前記係り部はコップの内面から上へ延びた止め部と止めブロックから構成され、前記隔離素子は一つの横方向段を有し、止め部と止めブロックとの間に前記横方向段が定位され、前記枠部の縦方向段と横方向段との間には枠部を容易に湾折するための湾折線が一つ設けてあることを特徴とする請求項１に記載のコップであることを要旨としている。
【０００９】
本発明に係るコップによれば、茶葉や研磨されたコーヒー粉末を内部に設置でき、コップの縦方向の隔離素子によって、茶葉や研磨されたコーヒー粉末の移動を制限し、使用者が入れた飲料を安心して飲むことができる。
【発明を実施するための最良の形態】
【００１０】
以下、添付図面を参照して本発明の好適な実施の形態を詳細に説明する。
図１から図４に示すのは、本発明に係る実施例１であって、一つの本体１と、一つの隔離素子１１とを含み、本実施例では、本体はソレキリ式コップであり、使用者は口で容器の内部の液体を直接に飲むことができ、隔離素子１１は一つの枠部１１１と、一つの網状の止め部１１２とから構成され、前記止め部１１２は枠部１１１が成形されている際に枠部１１１に連結され、これにより、液体が通過でき、原料１２が通過できない。本実施例では、原料１２は茶葉であり、枠部１１１は本体１を第一隔離空間１３と第二隔離空間１４とに分け、枠部１１１の適当な箇所には枠部１１１を容易に湾折するための湾折線１１３が設けてあり、これにより、湾折線１１３よりも高い部分では枠部１１１が半円形状の横方向段１１４であり、湾折線１１３よりも低い部分では枠部１１１が二つの縦方向段１１５を有する。
【００１１】
前記本体１は、円筒状を呈し、互いに対向する内面１５には一つの縦方向レール１６がそれぞれ設けてあり、各縦方向レール１６は互いに平行する二つの突出条１６１で構成され、前記突出条１６１はコップの内面１５と一体に成形され、二つの突出条１６１の間には隔離素子１１の枠部１１１を挿入して定位できる隙間１６２が形成される。また、本体１の内面において上端から適当な距離に離れた箇所には係り部１７が設けてあり、前記係り部１７はコップの内面から上へ延びた止め部１７１と止めブロック１７２から構成され、湾折された隔離素子が係り部１７に係止される。そうすると、本体１の内部の二つの隔離空間１３と隔離空間１４は、隔離素子１１で構成されて茶葉などを放置できる第一隔離空間１３と、茶葉などが進入できない第二隔離空間１４とに分けられる。
【００１２】
本実施例をソレキリ式のものに適用する場合には、本体１の縦方向レール１６に隔離素子１１の枠部１１１の縦方向段１１５を挿入して定位することにより、本体１の内部が二つの隔離空間１３と隔離空間１４に分けられ、入れようとする茶葉１２１を第一隔離空間１３に放置して、枠部１１１の湾折線１１３によって枠部１１１を容易に湾折すると、枠部１１１の半円形状の横方向段１１４が本体１の内面１５にある係り部１７に係止され、そうすると、二つの空間１３と空間１４が隔離され、もちろん、熱収縮樹脂フィルムによって包装するのも必要である。
【００１３】
使用者は、使用するときには、お湯を注入するだけでよく、最初に茶葉の付近の濃度が高く、拡散作用によりお茶全体の濃度が均一になり、お茶が網状の止め部１１２を通過できるので、二つの隔離空間１３と隔離空間１４のお茶の濃度が均一になり、図４に示すように、茶葉が止め部１１２に止められて第一隔離空間１３の中に止められる。
【００１４】
また、隔離素子１１の半円形状の横方向段１１４が本体１の係り部１７に係止され、且つ係り部１７は本体１の頂端から一定距離で離れているので、使用者がお茶などを飲んでも、鼻が隔離素子１１に当たらない。
【００１５】
また、本実施例では、隔離素子１１は立設されたものであるので、第一隔離空間１３と第二隔離空間１４は左右並列の状態であり、したがって、お茶は第一隔離空間１３から第二隔離空間１４へ流動し、本体１の上段または下段に集中しないので、お茶を飲む前にコップを揺らす必要がなくなる。
【００１６】
したがって、本実施例によれば、使用者がソレキリ式のコップを使用するときに、飲料の濃度が均一であり、且つ残存物が分離されるため、残存物が使用者の口に進入することはない。
【００１７】
もちろん、本発明の実施例は多数にあり、それらは詳細な部分の変化だけである。図５に示すのは、本発明に係る実施例２であって、本体２の内面２１の底面２２に近接する箇所には一つの突起２３が設けてあり、当該隔離素子２４は一つの枠部２４１と、網状を呈する一つの止め部２４２とから構成され、前記枠部２４１の底端は環状のラグ２４３が延びており、網状の止め部２４２は枠部２４１が成形されているときに枠部２４１に連結され、止め部２４２により液体は通過でき、茶葉２５が止められる。
【００１８】
また、隔離素子２４のラグ２４３が本体２の内面の突起２３に係止され、隔離素子２４は本体２の内部を中央の第一隔離空間２６と第一隔離空間２６の周辺の第二隔離空間２７とに分け、これにより、茶葉２５が分離され、本実施例では隔離素子２４は立設されたものであるので、本体２の二つの隔離空間２６と隔離空間２７は内外に配列される形態であるため、飲料の濃度が均一であり、且つ原料が分離されるので、原料が使用者の口に進入することはない。
【００１９】
最後に、図６に示すのは、本発明に係る実施例３であって、隔離素子４１はほぼ板状を呈し、環状を呈する枠部４１１と、枠部４１１の内部に設けられて網状を呈する止め部４１２とから構成され、本体４の内面４２の適当な箇所には縦方向に互いに対向する凸部４３が二つ設けてあり、二つの凸部４３の間には一つの溝４４が形成され、隔離素子４１の枠部４１１が前記溝４４に係止され、そうすると、隔離素子４１が本体４を横方向に隔離し、本体４が上半部４５と下半部４６とに分けられ、茶葉が下半部４６に放置されて隔離素子４１に止められ、なお、お茶は網状の止め部４１２を通過でき、上部の液体と混合され、お茶全体の濃度が均一になる。
【図面の簡単な説明】
【００２０】
【図１】本発明の実施例１によるコップを示す上面図である。
【図２】図１を２−２線で切断した断面図である。
【図３】図１を３−３線で切断した断面図である。
【図４】本発明の実施例１によるコップの原料の残存物とコップ本体の相対関係を示す概略図である。
【図５】本発明の実施例２によるコップを示す断面図である。
【図６】本発明の実施例３によるコップを示す断面図である。
【図７】従来のコップの構造を示す概略図である。
【図８】従来のコップと隔離装置との構造を示す概略図１である。
【図９】従来のコップと隔離装置との構造を示す概略図２である。
【符号の説明】
【００２１】
１  本体、２  本体、４  本体、１１  隔離素子、１２  原料、１３  第一隔離空間、１４  第二隔離空間、１５  内面、１６  縦方向レール、１７  係り部、２１  内面、２２  底面、２３  突起、２４  隔離素子、２５  茶葉、２６  第一隔離空間、２７  第二隔離空間、４１  隔離素子、４２  内面、４３  凸部、４４  溝、４５  上半部、４６  下半部、４７  茶葉、１１１  枠部、１１２  止め部、１１３  湾折線、１１４  横方向段、１１５  縦方向段、１２１  茶葉、１６１  突出条、１６２  隙間、１７１  止め部、１７２  止めブロック、２４１  枠部、２４２  止め部、２４３  ラグ、４１１  枠部、４１２  止め部
【図１】
2006026393.tif 000003
【図２】
2006026393.tif 000004
【図３】
2006026393.tif 000005
【図４】
2006026393.tif 000006
【図５】
2006026393.tif 000007
【図６】
2006026393.tif 000008
【図７】
2006026393.tif 000009
【図８】
2006026393.tif 000010
【図９】
2006026393.tif 000011